(57)【特許請求の範囲】
【請求項１】
作業エンジン（２）を取付けたフレーム（１ａ）と、運転シート（３）と、該機械をかじ取りするための手段（４）と、該機械の正面に置かれた前部の草刈りプレート（６０）を備えた型式の草等を切断するための草刈り機械において、草刈りプレート（６０）が前記エンジン（２）から駆動力を伝達する手段（２ａ、６５、６６、６７、６１ａ）を経て回転させられる少なくとも１対のカッター（６１）と、前記カッター（６１）を保護するための保護体（６２）とを含み、前記保護体はダクト（６３）によって該機械の中央部に向かって延在しており、前記ダクトは切断草収集容器（９）に掛合でき、前記切断草収集容器は該機械の前輪（７）と後輪（８）の間でフレーム（１a）の下の中間位置に置かれており、切断草を前記容器に向かって押す作用がカッター（６１）の回転によって生じた圧力によって及ぼされることを特徴とする草刈り機械。
【請求項２】
エンジン（２）から駆動力をカッター（６１）へ伝達する手段は夫々２つの管状部材（６７ａ、６７ｂ）からなる少なくとも１対の自在継手（６７）を含み、前記管状部材は互いに抜差自在に連結されていて、カッター（６１）の水平切断面をその水平切断面に対して平行に変位可能としたことを特徴とする請求項１に記載の草刈り機械。
【請求項３】
前記切断草収集容器（９）は草刈りプレート（６０）の保護体（６２）の前記ダクト（６３）の端部に掛合できる開口（９ａ）をもつことを特徴とする請求項１に記載の草刈り機械。
【請求項４】
前記切断草収集容器（９）は連結手段（９ｂ）によってフレーム（１ａ）に取付けられ、前記連結手段は該機械の外への容器（９）の側方移動と、水平軸線の回りの回動を生ぜしめて、前記容器をひっくり返すこと、それ故切断草を放出させることができることを特徴とする請求項１に記載の草刈り機械。
【請求項５】
前記連結手段は、フレーム（１ａ）に取付けられた案内上を摺動できるヒンジ（９ｂ）から実質上なることを特徴とする請求項４に記載の草刈り機械。
【請求項６】
前記ダクト（６３）は、地面の凹凸に出くわしたとき切断プレート（６０）をその地面に順応させるため、実質上水平の軸線の少なくとも１つのヒンジによって容器（９）に取付けられることを特徴とする請求項１に記載の草刈り機械。
【請求項７】
カッター（６１）の回転がダクト（６３）を通して容器（９）に切断草を吹き込むのに必要な過圧を決定することを特徴とする請求項１に記載の草刈り機械。
【発明の詳細な説明】
【０００１】
【産業上の利用分野】
本発明は草刈り機械の前輪と後輪の回転軸線に対して中心に位置した切断草収集容器に連結された前部草刈りプレートを備え、切断草を前記容器に向かって押す作用がカッターの回転によって発生する圧力によって及ぼされてなる、草等を切断する草刈り機械に関するものである。
【０００２】
【従来の技術】
工学技術分野では小，大両方の芝地の草を刈るための自走式装置の多数の型式のものが知られている。
【０００３】
しかし、既知の装置は切断草を回収せずに切断のみをなすという一般的設計に係わる多くの欠点をもっている。従来装置では、切断草は単に草刈り機械から側方へ放出し、その後必要物を集めるだけであるか、さもなければ、切断と切断した草の回収がタービン等のような補助手段を用いて行われる。前記タービンは、装置の全寸又は使用原動力の何れかの理由から、過大寸法の必要物を作ることになる。それ故、草を前方位置で切断すると同時に、全寸と動力消費を増す補助部品を必要とせずに、切断草を収集することのできる自走式装置を提供するという技術的問題が提供される。
【０００４】
更に、かかる装置は切断精度を高くするために車上での運転を容易にする高い操作性を確保しなければならなす、従って切断高さを制御できかつ切断プレートを地面凹凸に順応させることができる運動伝達手段を備える必要がある。
また、該機械の色々な部分への接近はジャッキ等の如き持ち上げ手段なしで行うことができなければならない。
【０００５】
【発明が解決しようとする課題】
本発明の目的は上記要件を備えた草刈り機械を提供することにある。
【０００６】
【課題を解決するための手段】
上記目的を達成するため、本発明の草刈り機械は、作業エンジンを取付けたフレームと、運転シートと、該機械をかじ取りするための手段と、前部の草刈りプレートを備えた型式の草等を切断するための草刈り機械において、草刈りプレートが前記エンジンから駆動力を伝達する手段を経て回転させられる少なくとも１対のカッターと、前記カッターを覆って保護するための保護体とを含み、前記保護体はダクトによって該機械の中央部に向かって延在しており、前記ダクトは該機械の前輪と後輪の回転軸線に対して中心に置かれた切断草収集容器に掛合でき、切断草を前記容器に向かって押す作用がカッターの回転によって生じた圧力によって及ぼされることを特徴とする。
【０００７】
好適実施例にれば、  エンジンから駆動力をカッターへ伝達する手段は夫々２つの管状部材からなる少なくとも１対の自在継手を含み、前記管状部材は互いに抜差自在に連結されかつカッターの水平切断面をそれ自身に平行に変位させることができる。
【０００８】
他の好適実施例によれば、前記容器は草刈りプレートの保護体の前記ダクトの端部に掛合できる開口をもつ。また、前記容器は連結手段によってフレームに取付けられ、前記連結手段は該機械の外への容器の側方移動と、水平軸線の回りの回動を生ぜしめて、前記容器をひっくり返すこと、それ故切断草を放出させることができる。
以下、本発明の実施例を図に基づき詳述する。
【０００９】
【実施例】
第１図に示すように、本発明の草刈り機械１は、後部の高い位置に作業エンジンを設置したフレーム１ａと、実質上中心の高い位置に置かれた運転シート３と、前方位置に置かれたかじ取りシステム４と、運転者の足を支持するための足載せ台５と、地面レベルで前方位置に置かれた切断プレート６０とからなる。
【００１０】
エンジン２は伝動装置を経て前輪７に連結される。前記伝動装置は自明であるので、第３図に２ａで示すのみとし、詳述はしない。
単一の後部の遊び車８はフォーク部材８ａによってフレーム１ａに取付けられ、前記フォーク部材はかじ取りハンドル４ａによって伝動装置の自明の手段を経て操作される旋回軸８ｂによって回転させられる。
【００１１】
草刈りプレート６０は地面と平行に置かれかつ保護体６２によって衝撃等から保護される切断刃６１ａをもつ１対のカッター６１から実質上なる。前記保護体はそのダクト６３が上方へ該機械１の中央部に向かって延びている。プレート６０の反対側にある前記ダクトの上端部６３ａは切断草収集ボックス９の対応する座部９ａに挿入される。前記ボックスは前輪７と後輪８の間でフレーム１ａの下の中間位置に置かれる。ダクトの下端部は水平軸ヒンジ６３ｂによってボックス９に取付けられる。
【００１２】
カッター６１への運動伝達は、エンジン２によって作動されかつ連鎖機構を介してカッター６１の駆動シャフト６１ｂに連結された齒車２ａを介して行われる。前記連鎖機構は、１対の自在継手６７によって連結された齒付きベルト６５と戻し遊び車６６からなり、前記自在継手は、地面の傾斜の変化に関連する草刈りプレート６０の傾斜には係わりなく、駆動力をカッター６１に伝達することができる。
【００１３】
しかし、草刈りプレートは自身の切断面をそれ自身と平行に変位させなければならないので、前記自在継手６７は地面の凹凸に関連する草刈りプレートの傾斜の変化に備えるために互いに抜差自在に接合された２つの管状部材６７ａ、６７ｂからなる。前記傾斜変化は保護体６２の前方に突き出しかつそれに剛性部材１０ａによって連結された車輪１０によって決定される。車輪１０が地面の凹凸に出くわすと、この車輪は草刈りプレート６０を上昇させる。この上昇は、ヒンジ６３ｂの回りの回動運動と自在継手６７の管状部品６７ａ、６７ｂの相対的運動の組合せ効果に起因して、実質上直線的な昇降運動を生ぜしめる。
【００１４】
カッター６１の回転運動は草の切断を行うのに加わえて、第４図に矢印で示すように収集ボックス９の方向に空気圧力を発生させ、そのため、切断された草が吸い込まれ、ダクト６３を通ってボックス９内に吹き込まれる。
【００１５】
前記ボックス９はヒンジ９ｂによってフレーム１ａに連結される。このヒンジはボックス９の幅を横切って延在し、フレーム１の案内１ｂ上を摺動することができ、従って、ダクトの下端部の水平軸ヒンジ６３ｂとボックス９とのヒンジ結合を解いた後、適当な把手９ｃを引くことによってボックス９を引き出すことができる。一旦ボックス９が完全に引き出されると、ヒンジ９ｂによってフレームに対して片持ち式に連結されたままに留まり、ボックスを前記ヒンジの回りに回動させて、第５図に破線で示すように空にすることができる。
本発明は上述の実施例に限定されることなく、本発明の範囲内で種々の変更を加えることができる。
【図面の簡単な説明】
【図１】本発明の草刈り機械の斜視図である。
【図２】切断刃に駆動力を伝達する伝動装置を示す、第１図の機械の斜視図である。
【図３】第１図の機械の部分縦断、側面図である。
【図４】切断草の流れ・収集状態を示す斜視図である。
【図５】空にするために引き出された切断草収集装置を示す草刈り機械の斜視図である。
【符号の説明】
１  草刈り機械
２  エンジン
３  運転シート
４  かじ取りシステム
７  前輪
８  後輪
９  収集ボックス
１０  車輪
６０  切断プレート
６１  カッター
６２  保護体
６３  ダクト
６５  齒付きベルト
６６  遊び車
６７  自在継手
【図１】
0003554356.tif 000002
【図２】
0003554356.tif 000003
【図３】
0003554356.tif 000004
【図４】
0003554356.tif 000005
【図５】
0003554356.tif 000006